(57)【要約】【課題】  全てのシール部において、開封性と破袋強度のいずれも良好に保つことができる包装袋を提供する。【解決手段】  イージーピール性を有し、樹脂フィルムの両端部分が重ね合わされてシールされた縦シール部を有するとともに、前記縦シールと略直交する方向にシールされた横シール部を有してなる封筒貼りタイプの包装袋であって、各シールにおけるシール強度が略同一である。【選択図】  図２
2014166870.tif 000002
【特許請求の範囲】
【請求項１】
イージーピール性を有し、樹脂フィルムの両端部分が重ね合わされてシールされた縦シール部を有するとともに、前記縦シールと略直交する方向にシールされた横シール部を有してなる封筒貼りタイプの包装袋であって、
各シールにおけるシール強度が略同一であることを特徴とする包装袋。
【請求項２】
横シール形成時におけるシール条件が、縦シール形成時におけるシール条件よりも高いことを特徴とする請求項１記載の包装袋。
【請求項３】
外層を構成する樹脂が、内層を構成する樹脂に比べて付着強度が高いことを特徴とする請求項１記載の包装袋。
【発明の詳細な説明】
【技術分野】
【０００１】
本発明は、樹脂フィルムを用いた包装袋に関するものであり、例えばはさみ等の道具を用いずに容易に開封可能なイージーピール性のシール部を備える包装袋に関する。
【背景技術】
【０００２】
包装袋には、開封の利便性を考慮して、イージーピール性のシール部（易開封部）を備えるものがある。これは、樹脂フィルムの端部をオーバーラップさせて形成されるいわゆる封筒貼りや、フィルム端部の内容物側の層同士を張り合わせた合掌貼りにて包装袋を形成するときに、貼り合わせ部においてイージーピール性のシール層を形成することで構成されている。ここで、イージーピール性のシールとは、シール部近傍を掴んで引っ張ることにより開封可能な程度の強度を有する弱シールのことであり、複数の樹脂からなるイージーピール適性を有する樹脂をシーラント層に用いたり、シール時の温度や圧力を小さくすることで形成される。
【０００３】
特許文献１には、フィルムを筒状に湾曲させ、端部をオーバーラップさせることによりフィルムの一部を重ね合わせ、その重ね合わせた箇所にイージーピール性の縦シール部を複数列形成した封筒貼りタイプの包装袋が開示されている。
【先行技術文献】
【特許文献】
【０００４】
【特許文献１】実開昭６４−５３０７５号公報
【発明の概要】
【発明が解決しようとする課題】
【０００５】
しかしながら、イージーピール性のシール部は、接合力が弱すぎると破袋強度が低下し、不用意に剥がれてしまうという問題が生じる。一方、接合力が強すぎると、なかなか開封できなかったり、開封の衝撃により内容物が飛び出したりする問題が生じる。このため、シール部の開封性と破袋強度との両方を適度に維持することは、イージーピール性のシール部を備える包装袋において非常に重要である。
【０００６】
特に、前述の封筒貼りタイプの包装袋では、縦シール部と横シール部とでシール条件が異なり、均一なシール性を得ることが難しいという問題もある。具体的には、封筒貼りタイプの包装袋の場合、縦シール部においては、２枚のフィルムをシールするのに対し、横シール部のうち、縦シール部と重なる横シールの中央付近では、フィルム中央と２枚のフィルム端部からなる３枚重ねられた状態でシールが行われ、縦シール部のない部分、すなわち横シール部端部近傍では、フィルムが２枚しかない状態でシールが行われるため、縦シール及び横シールを同条件でシールすると、縦シール部と横シール部とでシール強度が異なるために耐破袋性など包装袋としての適性が悪化するという問題が生ずる。
【０００７】
本発明は、このような従来の実情に鑑みて提案されたものであり、いずれのシール部においても開封性と破袋強度のいずれも良好に保つことができる包装袋を提供することを目的とする。
【課題を解決するための手段】
【０００８】
前述の目的を達成するために、本発明の包装袋は、イージーピール性を有し、樹脂フィルムの両端部分が重ね合わされてシールされた縦シール部を有するとともに、縦シールと略直交する方向にシールされた横シール部を有してなる封筒貼りタイプの包装袋であって、各シールにおけるシール強度が略同一であることを特徴とする。
【発明の効果】
【０００９】
本発明によれば、縦シール部及び横シール部のいずれにおいても良好な開封性及び破袋強度が得られ、開封操作が行い易く、しかも信頼性に優れた包装状態を維持し得る包装袋を提供することが可能である。
【図面の簡単な説明】
【００１０】
【図１】本発明を適用した包装袋の一例を示す概略斜視図である。
【図２】包装袋を構成する樹脂フィルムの概略断面図である。
【発明を実施するための形態】
【００１１】
以下、本発明を適用した包装袋の実施形態について、図面を参照しながら詳細に説明する。
【００１２】
本実施形態の包装袋１は、例えば多層フィルムを使用してピロー包装機にて製造されるものであり、図１に示す通り、多層フィルムが重ね合わされた重ね合わせ部２においてフィルム端面に沿って長手方向にシールすることにより縦シール部３を形成し、両端開口部を縦シール部３とは直交する方向にシールして横シール部４，５を形成してなる、いわゆる封筒貼りタイプの包装袋である。
【００１３】
前記縦シール部３や横シール部４，５は、いわゆるイージーピール性を有することが好ましいが、必ずしもこれに限られない。また、イージーピール性とする場合、これらのシール部（縦シール部３及び横シール部４，５）は、全てＪＩＳ  Ｋ６８５４によるヒートシール強度が１０Ｎ／１５ｍｍ幅未満であることが好ましい。
【００１４】
包装袋１を形成するには、図２に示すように多層フィルム１０を筒状に湾曲させ、その両端部をオーバーラップさせて形成した重ね合わせ部２を形成し、この重ね合わせ部２における外面側になっている一方の側縁部の先端側に指で摘まめる程度の幅（１０〜２０ｍｍ）の帯状非シール部（指入れ部として機能）を残した状態で縦シールを行い、縦シール部３を形成する。したがって、前記縦シール部３では、多層フィルム１０における内層１１と外層１３とが接合されることになる。なお、本実施形態では、縦シール部３は、複数本（ここでは２本）の細いラインで形成しているが、これに限らず、例えば１本の比較的幅の広いシール部とすることも可能である。あるいは、３本以上のパターンとすることも可能である。
【００１５】
そして、縦シールを施した筒状体の内部に所定量の被充填物を充填し、横シール４，５を縦シール３と交差するようにそれぞれ形成して密封する。ここで、縦シール部３及び横シール部４，５は、包装袋１から被充填物を取り出すために開封する前には、いずれも剥離することがなく、開封する際には、帯状の非シール部である指入れ部を指で摘んで引っ張るだけで容易に剥離することが好ましい。これを実現するためには、前記縦シール部３や横シール部４，５を凝集剥離易開封性シール（所謂イージーピール）とすればよい。
【００１６】
凝集剥離易開封性シールは、シール層自体が破壊されて剥離するものであって、剥離時に糸引きが生じない。よって、被充填物に混入の虞がない。また、滑らかな剥離感でシール強度が安定しており、温度依存性が非常に少ない。さらに、剥離面は真っ白な剥離痕が生じる。この真っ白な剥離痕は、シールが適性にできているかどうか剥離により目視確認ができることから、包装工程上でのシール状況の確認にも役立てることができる。その結果、被充填物の信頼性が保たれる。
【００１７】
図２は、前記包装袋１に使用される多層フィルムの積層構成を示す図である。図２に示される多層フィルム１０は、内層１１と、中間層１２、さらには外層１３とから構成されるている。
【００１８】
本実施形態の場合、内層１１及び外層１３は、凝集破壊によるイージーピールを付与し得る熱可塑性樹脂からなる。係る熱可塑性樹脂としては、例えば直鎖状低密度ポリエチレン（ＬＬＤＰＥ）とポリプロピレン（ＰＰ）の組成物、ＬＬＤＰＥとポリブテンの組成物、低密度ポリエチレン（ＬＤＰＥ）とＰＰの組成物、エチレン−酢酸ビニル共重合体（ＥＶＡ）とＰＰの組成物等、２種類以上の混合樹脂が挙げられるが、勿論これらに限定されることなく、イージーピール性を付与し得る樹脂材料であれば、任意の樹脂材料を適宜選択して用いることができる。
【００１９】
中間層１２は、内層１１と外層１３の間に設けられる層であり、機械特性やバリア性等を考慮して任意の樹脂材料が用いられるが、強度等、各種機械特性を満足するためにポリアミドを用いることが好ましい。ポリアミドとしては、ナイロン６、ナイロン６６、ナイロン１２、ナイロン４６のような脂肪族ナイロン、芳香族を含有する脂肪族ナイロン、芳香族ナイロン等又はこれらの共重合ナイロン、またこれら樹脂の混合物が挙げられる。
【００２０】
多層フィルム１０の積層方法としては、一般に用いられているドライラミネーション法、インフレーション法等を挙げることができ、あるいはこれらを組み合わせてそれぞれの層を積層することにより製造することも可能である。各層間の接着剤についても一般に使用している公知のものが使用できる。
【００２１】
以上が包装袋１の基本的な構成であるが、前記多層フィルム１０を用いて縦シール部３及び横シール部４，５を有する包装袋１を形成すると、縦シール部３と横シール部４，５のシール性の相違が問題となる。
【００２２】
図２は、シール前の包装袋１の断面を示すものである。封筒貼りタイプの包装袋１では、シールの際に、多層フィルム１０の重なり部分Ｂにおいて縦シールを行う。そのため、縦シール部３では、多層フィルム１０が３枚重なった状態でシールが行われることになる。一方、横シール部４，５では、その大部分の領域（図２中の領域Ａ）において、多層フィルム１０が２枚重なった状態でシールが行われる。
【００２３】
このように、縦シール部３と横シール部４，５とは、シールの際の多層フィルムの積層数が異なる状態（すなわち厚さが異なる状態）でシールが行われ、シールバーにより同じ条件でシールしたのでは、シール強度が異なる結果となる。例えば、２枚重なった部分のみにシール強度を合わせてシールを行えば、厚さの厚い縦シール部３ではシール強度が弱くなり、横シール部中央部分での破袋強度が低下する傾向にある。このように、２枚のフィルムからなる縦シール部３と横シール部４，５とで同一のシールを行うと、シール強度が異なることとなり、縦シール部３と横シール部４，５の双方において開封性及び破袋強度を両立することが困難となる。特にイージーピール適性を有する包装袋においては、シール強度が弱いと輸送時などに破袋し、内容物が外に漏れだしてしまうといった問題が生じることとなる。
【００２４】
そこで、本実施形態の包装袋１では、多層フィルム１０の層構成を工夫し、縦シール部３と横シール部４，５のシール強度が同一になるようにしている。具体的には、多層フィルム１０の内層１１と外層１３のシール性を変え、シール強度の均一化を図っている。
【００２５】
図２にも示した通り、縦シール部３では、多層フィルム１０の外層１３と内層１１が対向し、これらがシールされる。これに対して、横シール部４，５では、内層１１同士が対向し、これら内層１１同士がシールされることになる。
【００２６】
そこで、内層１１を外層１３よりシール性の低い（シールした際の付着強度が低くシールし難い）材質とし、外層１３をシール性の高い（シールした際の付着強度が高くシールし易い）材質とすることで、３枚の重なった部分にシール条件を合わせても、縦シール部３と横シール部４，５のシール強度の均一化が図れるようにしている。すなわち、横シール部４，５においては、内層１１同士がシールされるのに対し、封筒貼りの包装袋においては、縦シール部３は、内層１１と外層１３とがシールされるため、外層を構成する樹脂としてシール性の高い樹脂を用いることにより、横シール部の３枚が重なる部分において、高いシール条件を必要とせず、良好なシール条件を満たすことが可能となる。なお、本実施形態に限らず、例えば内層及び外層を同一のイージーピール性を有する樹脂とし、横シール部４，５のシール条件を横シール部４，５より先に形成される縦シール部３におけるシール温度および／または圧力の条件より高くなるようにすることで、耐破袋性を向上させることができる。すなわち、イージーピール性を有する包装袋においては、横シール部の３枚重なった部分におけるシール強度が十分に保たれていることが必要であり、且つ、横シール部の２枚のフィルムで構成される部分のシール強度が、高くなりすぎないことで良好な包装袋とすることができる。
【００２７】
例えば、内層１１と外層１３に使用する樹脂の融点を変えたり、樹脂の種類を変えることで、前記要件を実現することができる。内層１１に比べて外層１３に使用する樹脂の融点を低くすれば、外層１３の方がシール性が高くなる。内層１１をポリエチレンとポリプロピレンの混合物とし、外層１３をポリエチレン単体とすれば、やはり外層１３の方がシール性が高くなる。
【００２８】
多層フィルム１０をこのような層構成とすれば、厚さの厚い縦シール部３ではシール強度が弱く、厚さの薄い横シール部４，５ではシール強度が強くなることと相殺され、縦シール部３と横シール部４，５のシール強度をほぼ同一のものとすることができる。
【００２９】
以上の通り、本発明の包装袋によれば、全てのシール部（縦シール部３と横シール部４，５）におけるシール強度が略同一とされ、縦シール部３及び横シール部４，５のいずれにおいても良好な開封性及び破袋強度を得ることができる。
【符号の説明】
【００３０】
１  包装袋
２  重ね合わせ部
３  縦シール部
４，５  横シール部
１０  多層フィルム
１１  内層
１３  外層
【図１】
2014166870.tif 000003
【図２】
2014166870.tif 000004